(57)【要約】【課題】  放電効率および輝度が改善されたＰＤＰを提供する。【解決手段】  所定距離を維持して放電空間を形成する第１基板１１０および第２基板１２０と，第１基板１１０の内面に所定距離離れて設けられて相互放電を発生させる第１電極対１１３ａ，１１３ｂと，第１電極対１１３ａ，１１３ｂに平行に配置され，第２基板１２０から所定距離離れて設置されて，相互放電を発生させる第２電極対１１４ａ，１１４ｂと，を備えるＰＤＰである。このように，第１基板１１０の第１放電維持電極１１３ａ，１１３ｂに，第２基板１２０側に第２放電維持電極１１４ａ，１１４ｂを追加することにより，放電効率および輝度について優れた特性を有するＰＤＰを得ることができる。また，第２基板１２０の内面は，第２電極対１１４ａ，１１４ｂが形成される所定高さのリッジ１２５をさらに備えることもできる。【選択図】    図３
2006066392.tif 000002
【特許請求の範囲】
【請求項１】
所定距離を維持して放電空間を形成する第１基板および第２基板と；
前記第１基板の内面に所定距離離れて設けられて，相互放電を発生させる第１電極対と；
前記第１電極対に平行に配置され，前記第２基板から所定距離離れて設置されて相互放電を発生させる第２電極対と；
を備えることを特徴とする，プラズマディスプレイパネル。
【請求項２】
前記第２基板の内面は，前記第２電極対が形成される所定高さのリッジをさらに備えることを特徴とする，請求項１に記載のプラズマディスプレイパネル。
【請求項３】
前記第２電極対は，一つの前記リッジ上に共に形成されることを特徴とする，請求項２に記載のプラズマディスプレイパネル。
【請求項４】
前記第２電極対を構成する各電極は，隣接する二つの前記リッジにそれぞれ形成されることを特徴とする，請求項２に記載のプラズマディスプレイパネル。
【請求項５】
前記第１電極対の電極と前記第２電極対の電極とは，実質的に同じ間隔で形成されることを特徴とする，請求項１〜４のいずれかに記載のプラズマディスプレイパネル。
【請求項６】
前記第２電極対の電極間の間隔は，前記第１電極対の電極間の間隔に比べて狭いことを特徴とする，請求項１〜５のいずれかに記載のプラズマディスプレイパネル。
【請求項７】
前記第２電極対の電極間の間隔は，前記第１電極対の電極間の間隔に比べて広いことを特徴とする，請求項１〜５のいずれかに記載のプラズマディスプレイパネル。
【請求項８】
前記第２基板の内面には，前記第１電極対および前記第２電極対に対して直交するアドレス電極が設けられることを特徴とする，請求項１〜７のいずれかに記載のプラズマディスプレイパネル
【請求項９】
前記第１電極対の各電極は，所定距離を維持して電気的に相互連結される二つの電極要素を備えることを特徴とする，請求項１〜８のいずれかに記載のプラズマディスプレイパネル。
【請求項１０】
前記第１電極対を覆う第１誘電体層と，
前記第２電極対を覆う第２誘電体層と，
をさらに備えることを特徴とする，請求項１〜９のいずれかに記載のプラズマディスプレイパネル。
【請求項１１】
前記第１誘電体層を覆う第１保護層と，
前記第２誘電体層を覆う第２保護層と，
をさらに備えることを特徴とする，請求項１０に記載のプラズマディスプレイパネル。
【請求項１２】
所定距離を維持して放電空間を形成する第１基板および第２基板と；
前記第１基板と前記第２基板との間に所定の高さに形成され，複数平行する隔壁と；
前記第１基板の内面に所定距離離れて設けられて，前記隔壁の間で相互放電を発生させる第１電極対と；
前記第２基板の内面に所定の高さに形成されるリッジと；
前記第１電極対に対して平行に前記リッジの上面に形成されて，相互放電を発生させる第２電極対と；
前記第２基板の内面に形成され，前記第１電極対および前記第２電極対に対して直交する方向に設けられるアドレス電極と；
を備えることを特徴とする，プラズマディスプレイパネル。
【請求項１３】
前記第２電極対は，一つの前記リッジ上に共に形成されることを特徴とする，請求項１２に記載のプラズマディスプレイパネル。
【請求項１４】
前記第２電極対の各電極は，隣接する二つの前記リッジにそれぞれ形成されることを特徴とする，請求項１２に記載のプラズマディスプレイパネル。
【請求項１５】
前記第１電極対および前記第２電極対は，実質的に同じ間隔で形成されることを特徴とする，請求項１２〜１４のいずれかに記載のプラズマディスプレイパネル。
【請求項１６】
少なくとも前記リッジの側面および前記第２基板の内面には，蛍光体層が形成されることを特徴とする，請求項１２〜１５のいずれかに記載のプラズマディスプレイパネル。
【請求項１７】
前記第２電極対の電極間の間隔は，前記第１電極対の電極間の間隔に比べて狭いことを特徴とする，請求項１２〜１６のいずれかに記載のプラズマディスプレイパネル。
【請求項１８】
前記隔壁は，下部と上部とを備え，
前記下部は，前記リッジと一体に形成されることを特徴とする，請求項１２〜１７のいずれかに記載のプラズマディスプレイパネル。
【請求項１９】
前記隔壁の前記下部は，前記上部に比べて広い幅を有することを特徴とする，請求項１８に記載のプラズマディスプレイパネル。
【請求項２０】
前記リッジは，前記隔壁に対して直交する方向に形成され，
前記リッジは，前記隔壁との交差部で前記隔壁により埋め込まれていることを特徴とする，請求項１２〜１９のいずれかに記載のプラズマディスプレイパネル。
【請求項２１】
前記第１電極対を覆う第１誘電体層と，
前記第２電極対を覆う第２誘電体層と，
をさらに備えることを特徴とする，請求項１２〜２０のいずれかに記載のプラズマディスプレイパネル。
【請求項２２】
前記第１誘電体層を覆う第１保護層と，
前記第２誘電体層を覆う第２保護層と，
をさらに備えることを特徴とする，請求項２１に記載のプラズマディスプレイパネル。
【請求項２３】
所定距離を維持して放電空間を形成する第１基板および第２基板と；
前記第１基板と前記第２基板との間に所定高さに形成され，幅の広い下部と幅の狭い上部とにより階段型の断面を有する隔壁と；
前記第１基板の内面に所定距離離れて設けられて，前記隔壁の間で相互放電を発生させる第１電極対と；
前記第１電極対に平行に，前記隔壁の前記下部にそれぞれ形成されて相互放電を発生させる第２電極対と；
前記第１電極対および前記第２電極対に対して直交する方向に設けられるアドレス電極と；
を備えることを特徴とする，プラズマディスプレイパネル。
【請求項２４】
前記隔壁は，
前記第１電極対および前記第２電極対に対して平行である部分と，
前記第１電極対および前記第２電極対に対して直交する部分と，
を有する格子構造であることを特徴とする，請求項２３に記載のプラズマディスプレイパネル。
【請求項２５】
前記第２電極対は，前記隔壁との交差部で，前記隔壁の前記上部に埋め込まれることを特徴とする，請求項２４に記載のプラズマディスプレイパネル。
【請求項２６】
前記アドレス電極は，前記第２基板の内面に形成されることを特徴とする，請求項２３〜２５のいずれかに記載のプラズマディスプレイパネル。
【請求項２７】
前記第２電極対の各電極は，前記隔壁の前記上部に覆われていない前記下部の上面に，個別的に形成されることを特徴とする，請求項２３〜２６のいずれかに記載のプラズマディスプレイパネル。
【請求項２８】
前記第１電極対を覆う第１誘電体層と，
前記第２電極対を覆う第２誘電体層と，
をさらに備えることを特徴とする，請求項２３〜２７のいずれかに記載のプラズマディスプレイパネル。
【請求項２９】
前記第１誘電体層を覆う第１保護層と，
前記第２誘電体層を覆う第２保護層と，
をさらに備えることを特徴とする，請求項２８に記載のプラズマディスプレイパネル。
【発明の詳細な説明】
【技術分野】
【０００１】
本発明は，プラズマディスプレイパネル（Ｐｌａｓｍａ  Ｄｉｓｐｌａｙ  Ｐａｎｎｅｌ：以下，「ＰＤＰ」とする。）に係り，より詳細には，高効率および高コントラスト比とを有する高耐久性のＰＤＰに関する。
【背景技術】
【０００２】
特許文献１および特許文献２などに開示された，いわゆる面放電型と呼ばれるＰＤＰは，維持放電が前面板に設けられる二つの電極の間で発生する構造を有する。
【０００３】
面放電型ＰＤＰは，放電が同じ基板に形成された電極間で発生する構造を有する。このようなＰＤＰは，前面板側に放電維持電極が設けられた構造を有する。このため，画素領域において光が通過する部分には，光透過性物質が形成される。ＩＴＯ（Ｉｎｄｉｕｍ  Ｔｉｎ  Ｏｘｉｄｅ）は，光透過性導電物質であって，透明性電極材料として広く使用される。ＩＴＯのような光透過性物質は，抵抗が高いため，プラズマ放電領域に部分的に使用される。このようなＩＴＯ電極に対する電気的信号伝達は，低抵抗性金属物質より形成されたバスラインを介して行われる。
【０００４】
図１は，面放電型ＰＤＰの典型的な構造を示す概略的な斜視図であり，図２は，その放電構造を示す概略的な断面図である。
【０００５】
図１および図２を参照すると，第１基板１０の内面に相互平行する透明性の放電維持電極１３ａ，１３ｂが複数組形成されている。かかる放電維持電極１３ａ，１３ｂ上には，金属物質であるバス電極が形成される。この放電維持電極１３ａ，１３ｂ上には，誘電体層１１およびＭｇＯなどの保護層１２が順次積層される。そして，第２基板２０の内面には，放電維持電極１３ａ，１３ｂに対して直交する方向に延びる，所定高さの隔壁２１が複数平行に形成されている。これらの間の第２基板２０の表面には，アドレス電極２２が形成される。また，アドレス電極２２上には，誘電物質層２３が形成される。図２に示すように，第２基板２０上に形成された隔壁２１の側面と隔壁２１の間の誘電体層２３との上には，蛍光体層２４が形成される。
【０００６】
このような面放電方式のＰＤＰでは，一つの維持電極とアドレス電極とにより初期放電が誘導される。この放電は，維持電極により維持される。放電領域８から発生した紫外線は，蛍光体層２４に吸収されつつ蛍光体層２４を励起させる。
【０００７】
このような従来のＰＤＰは，放電効率が低いという短所を有する。ＰＤＰの放電効率が低いことは，短い放電距離と平面上の電極配置の構造的な欠点とに起因する。また，放電は，ＰＤＰの前方の第１基板１０に近くで行われる。このため，ここで発生したイオンがＭｇＯなどの保護膜１２と衝突することにより，保護膜１２の損傷が早く進む。保護膜１２の損傷は，ＰＤＰの寿命を短縮させる一つの要因となる。また，蛍光体層２４は，放電領域から比較的離れた後方の第２基板２０側に形成される。したがって，第１基板１０の近くの放電領域で発生した紫外線は，第２基板２０側の蛍光体層２４によって十分に吸収されず，相当量が損失されてしまう。
【０００８】
【特許文献１】米国特許第４６３８２１８号明細書
【特許文献２】米国特許第５６６１５００号明細書
【発明の開示】
【発明が解決しようとする課題】
【０００９】
本発明の目的は，高い輝度および放電効率を有する，新規かつ改良されたＰＤＰを提供するところにある。
【課題を解決するための手段】
【００１０】
上記課題を解決するために，本発明のある観点によれば，所定距離を維持して放電空間を形成する第１基板および第２基板と，第１基板の内面に所定距離離れて設けられ，相互放電を発生させる第１電極対と，第１電極対に平行に配置され，第２基板から所定距離離れて設置されて，相互放電を発生させる第２電極対と，を備えるＰＤＰが提供される。
【００１１】
ここで，第２基板の内面には，第２電極対が形成される所定高さのリッジをさらに備えることもできる。
【００１２】
また，第２電極対は，一つのリッジ上に共に形成されてもよく，各電極が隣接した二つのリッジにそれぞれ形成されてもよい。
【００１３】
さらに，第１電極対の電極と第２電極対の電極とは，実質的に同じ間隔で形成されるが，第２電極対の電極間の間隔は，第１電極対の電極間の間隔と比べて狭くてもよく，広くてもよい。
【００１４】
また，第２基板の内面には，第１電極対および第２電極対に対して直交するアドレス電極を設けることもできる。
【００１５】
さらに，第１電極対の各電極は，所定距離を維持して電気的に相互連結される二つの電極要素を備えることもできる。
【００１６】
また，第１電極対を覆う第１誘電体層と，第２電極対を覆う第２誘電体層とを備えることもできる。ここで，第１誘電体層を覆う第１保護層と，第２誘電体層を覆う第２保護層とをさらに備えてもよい。
【００１７】
本発明の他の観点によれば，所定距離を維持して放電空間を形成する第１基板および第２基板と，第１基板と第２基板との間に所定高さに形成され，複数平行する隔壁と，第１基板の内面に所定距離離れて設けられ，隔壁の間で相互放電を発生させる第１電極対と，第２基板の内面に所定高さに形成されるリッジと，第１電極対に平行にリッジの上面に形成されて，相互放電を発生させる第２電極対と，第２基板の内面に形成されるＰＤＰが提供される。ここで，第１電極対および第２電極対に対して直交する方向に設けられるアドレス電極を備えることを特徴とする。
【００１８】
ここで，隔壁は，下部と上部とを備え，下部は，リッジと一体に形成することができる。また，リッジは，隔壁と直交する方向に形成され，隔壁との交差部において，隔壁により埋め込まれるように形成することもできる。
【００１９】
また，第２電極対は，一つのリッジ上に共に形成されてもよく，隣接する二つのリッジにそれぞれ形成されてもよい。
【００２０】
さらに，第１電極対および第２電極対は，実質的に同じ間隔で形成もよい。また，少なくともリッジの側面および第２基板の内面には，蛍光体層を形成することもできる。なお，第２電極対の電極間の間隔は，第１電極対の電極間の間隔と比べて狭くてもよい。
【００２１】
本発明のさらに別の観点によれば，所定距離を維持して放電空間を形成する第１基板および第２基板と，第１基板と第２基板との間に所定高さに形成されるＰＤＰが提供される。ここで，幅の広い下部と幅の狭い上部とにより階段型の断面を有する隔壁と，第１基板の内面に所定距離離れて設けられて，隔壁の間で相互放電を発生させる第１電極対と，第１電極対に対して平行に隔壁の下部にそれぞれ形成されて，相互放電を発生させる第２電極対と，第１電極対および第２電極対に対して直交する方向に設けられるアドレス電極と，を備えることを特徴とする。
【００２２】
ここで，隔壁は，第１電極対および第２電極対に対して平行する部分と，これに直交する部分とを有する格子構造を有する。特に，隔壁の上部および下部は，それぞれ第１電極対および第２電極対に対して平行する部分と，これに直交する部分とを有する格子構造を有する。このとき，下部は，上部に比べて狭い幅を有することが好ましい。そして，第２電極対の各電極は，隔壁の上部により覆われていない下部の上面に個別に形成されることが好ましい。
【００２３】
また，第２電極対は，隔壁との交差部で，隔壁の上部に埋め込まれるように形成することもできる。さらに，アドレス電極は，第２基板の内面に形成されてもよい。また，第２電極対の各電極は，隔壁の上部に覆われていない下部の上面に，個別的に形成されてもよい。
【００２４】
さらに，第１電極対を覆う第１誘電体層と，第２電極対を覆う第２誘電体層とを備えることもできる。ここで，第１誘電体層を覆う第１保護層と，第２誘電体層を覆う第２保護層とをさらに備えてもよい。
【発明の効果】
【００２５】
以上説明したように本発明によれば，いわゆる３電極方式のＰＤＰの問題点を改善するものであって，５電極または７電極の構造により，低い放電開始電圧および放電維持電圧を具現し，このような条件下でも従来の３電極方式のＰＤＰに比べて高い輝度および放電効率を有するＰＤＰを提供することができる。このような本発明にかかるＰＤＰは，消費電力の減少を必要とする大型画像表示装置に特に適している。
【発明を実施するための最良の形態】
【００２６】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２７】
（第１の実施形態）
以下，第１の実施形態にかかるＰＤＰについて説明する。なお，以下の図面で同じ参照符号は，同じ構成要素を示す。また，図面において，層および領域の厚さは，明瞭性のために誇張されている。そして，層，領域または基板のような要素が他の要素上にあると言及されるとき，これは，他の要素上に直接あるか，または，その要素の間に中間要素が介入されることも含まれる。
【００２８】
図３は，本実施形態にかかる面放電型ＰＤＰを概略的に示す斜視図である。また，図４は，その放電構造を示す概略的な断面図である。
【００２９】
図３および図４を参照すれば，第１基板１１０の内面に相互維持放電を発生させる透明性第１放電維持電極対１１３ａ，１１３ｂが複数組形成されている。維持電極対の上には，金属電極が形成される。第１放電維持電極対１１３ａ，１１３ｂの上に第１誘電体層１１１と，ＭｇＯなどから形成された第１保護層１１２とが順次積層されている。そして，第２基板１２０の内面には，第１放電維持電極対１１３ａ，１１３ｂに対して直交する方向に延びる所定高さの隔壁１２１が複数平行に形成されている。これらの間の第２基板１２０の表面には，アドレス電極１２２が形成されている。また，アドレス電極１２２上には，誘電物質層１２３が形成されている。
【００３０】
図４に示すように，第２基板１２０で隔壁１２１の側面と，それらの間の誘電物質層１２３上には，蛍光体層１２４が形成されている。一方，本発明の特徴部分である，第２放電維持電極対１１４ａ，１１４ｂは，第２基板１２０の内面から所定の高さ離れて形成されており，その上には，誘電体層１１５が形成されている。第２放電維持電極対１１４ａ，１１４ｂおよびこれを覆う誘電体層１１５は，第２基板１２０の底から所定高さ離れた，第１基板１１０に近い位置に位置している。すなわち，第２放電維持電極対１１４ａ，１１４ｂおよびこれを覆う誘電体層１１５は，第１基板１１０と第２基板１２０との間に位置する。
【００３１】
この第２誘電体層１１５上には，誘電体を保護するための第２保護層１１８として，例えばＭｇＯが蒸着されている。このように，第２放電維持電極対１１４ａ，１１４ｂを第２基板１２０の底から所定高さ離して第１基板１１０に近づけさせるために，図３に示すように，第２基板１２０の内面に所定高さのリッジが第１放電維持電極対１１３ａ，１１３ｂと平行しており，隔壁１２１に対しては直交する方向に配置される。したがって，隔壁１２１とリッジ１２５とは，格子状に形成され，このとき隔壁１２１は，リッジ１２５に比べて高く形成されている。したがって，リッジ１２５は，隔壁１２１と交差する部分で隔壁１２１により埋め込まれる。
【００３２】
なお，相互直交する隔壁１２１とリッジ１２５とが，図４では隔壁１２１とリッジ１２５とが平行するように示されているが，これは，放電構造の理解を助けるために，事実と異なって表現されている。また，本実施形態では，第１放電維持電極１１３ａ，１１３ｂ間の間隔は，第２放電維持電極１１４ａ，１１４ｂ間の間隔に比べて広いものとする。
【００３３】
図５Ａおよび図５Ｂは，本実施形態にかかるＰＤＰの動作を説明する断面図である。特に，図５Ａは，アドレス放電を示し，図５Ｂは，維持放電を示す。
【００３４】
図５Ａに示すように，第２放電維持電極対１１４ａ，１１４ｂのうち選択された一つの電極１１４ａとアドレス電極１２２との間にアドレス電圧Ｖａが印加されると，第２放電維持電極１１４ａとアドレス電極１２２との間にアドレス放電が誘導される。このとき，第２放電維持電極１１４ａとアドレス電極１２２とは近接しているため，従来に比べて低電圧でアドレス放電が発生しうる。このとき，第１放電維持電極１１３ａおよび第２放電維持電極１１４ａは，同一電圧が印加されるため，電界は，アドレス電極１２２と第１放電維持電極１１３ａとの間，アドレス電極１２２と第２放電維持電極１１４ａとの間に形成される。しかし，第２放電維持電極１１４ａとアドレス電極１２２とが近接しているため，ここではまず，アドレッシングが行われ，その後に発生した荷電粒子により，第１放電維持電極１１３ａ側へのアドレッシング放電が拡散されることもある。
【００３５】
図５Ｂに示すように，アドレス放電以後，第１放電維持電極対１１３ａ，１１３ｂおよび第２放電維持電極対１１４ａ，１１４ｂに放電維持電圧Ｖｓが印加されると，第１放電維持電極対１１３ａ，１１３ｂと第２放電維持電極対１１４ａ，１１４ｂとにより第１維持放電および第２維持放電が発生する。このとき，第１基板１１０に近い部分での第１放電維持電極対１１３ａ，１１３ｂによる第１維持放電，また，リッジ１２５に近い部分での第２放電維持電極対１１４ａ，１１４ｂによる第２維持放電は，相互平行する方向に発生し，何れも面放電の形態を有する。
【００３６】
このように，二つの維持放電が一つの単位セル内で発生することは，本発明の特徴の一つである。特に，第２維持放電が，第１基板１１０と第２基板１２０との中間部分で発生することに特徴がある。
【００３７】
ここで，図６に，従来の３電極面放電型ＰＤＰおよび本実施形態にかかる５電極面放電型ＰＤＰの放電シミュレーション結果を示す。
【００３８】
図６の従来ＰＤＰのシミュレーション結果に示すように，従来ＰＤＰでは，放電が狭い領域で発生しており，第１基板（前面板，図６紙面上側）に偏っていることが分かる。一方，図６の本実施形態にかかる５電極面放電型ＰＤＰのシミュレーション結果に示すように，本実施形態にかかるＰＤＰでは，従来に比べて非常に強い放電が可能になる。また，このような強い放電が非常に広く拡張し，さらに，この領域が第１基板と第２基板とのいずれかの側に偏らずに中央に位置することにより，蛍光体を全体的に均一に励起させることが可能となる。
【００３９】
また，本実施形態によれば，広い範囲で均一な放電が得られるだけでなく，特に，従来に比べて保護層から放電領域を遠ざけることにより，従来に比べて保護層の損傷を減少させることができる。特に，図６から分かるように，本実施形態にかかるＰＤＰでは，従来ＰＤＰに比べて高い強度の放電を誘発できる。
【００４０】
図７Ａおよび図７Ｂは，上記説明した本実施形態にかかるＰＤＰの放電メカニズムを示し，放電の開始から消滅までの放電進行過程を時間毎に示した写真である。
【００４１】
図７Ａを参照すれば，上下維持電極に電圧を印加したとき，７００ｎｓの時点では放電は形成されていない。しかし，７４０ｎｓの時点では，上部二つの電極により形成された電界と，下部の二つの電極により形成された電界とが当接した部分で強い放電が開始されつつ，放電の一部が上部と下部の維持電極に向かって形成されることが分かる。その後，セル空間の電界に沿って放電が維持される。このように，放電セルに電界が集中する場合，放電開始が既存の構造に比べて早く行われ，真空紫外線の発生が，既存の３電極面放電よりセルの内部に均一に分布される。これにより，蛍光体をさらに効率的に励起させることができる。さらに，二つの維持電極対が配置されているため，放電から発生するイオンによる電極損傷が減り，寿命が長くなり得る。
【００４２】
このような放電メカニズムを有する本実施形態にかかるＰＤＰは，多様な形態へ変更することが可能である。以下，図８および図９に基づいて，本発明にかかるＰＤＰの第２の実施形態について説明する。
【００４３】
（第２の実施形態）
図８および図９を参照すれば，リッジ１２５が個別的なリッジ１２５ａ，１２５ｂに分離され，それぞれの上に第２放電維持電極１１４ａ，１１４ｂが形成される。そして，第２放電維持電極１１４ａ，１１４ｂの間隔は，第１の実施形態に比べて広くなっている。ここで，図８および図９に示すように，第１基板１１０に形成された第１放電維持電極１１３ａ，１１３ｂの間隔と，第２放電維持電極１１４ａ，１１４ｂの間隔とが実質的に同じであることが好ましい。
【００４４】
図９に示すように，本実施形態の他の特徴は，第２放電維持電極１１４ａ，１１４ｂが個別的なリッジ１２５ａ，１２５ｂ上に形成されることにより，所定高さだけ第２基板１２０から高くなっている。このため，これらの間に，第２維持放電のための谷状の広い空間１３０が形成されている。このような谷状の広い空間１３０により，第２放電維持電極１１４ａ，１１４ｂ間の放電の形態は，第２放電維持電極１１４ａ，１１４ｂの表面間の面放電Ｂと，第２放電維持電極１１４ａ，１１４ｂと対向するエッジ部分との間の対向放電Ａとの２つを複合的に有するものとなる。ここで，蛍光体層１２４は，谷状の広い空間１３０の底などの第２基板１２０および隔壁１２１の側面に形成される。
【００４５】
（第３の実施形態）
図１０Ａは，本実施形態にかかるＰＤＰの断面図である。また，図１０Ｂは，本実施形態にかかる第２基板の内面に形成される隔壁１２１の構造を示す抜粋斜視図である。
【００４６】
本実施形態は，第１の実施形態および第２の実施形態にかかるＰＤＰの変形例であって，隔壁１２１が単一体ではない，上下部分１２１ａ，１２１ｂが分離された構造を有する。
【００４７】
図１０Ａおよび図１１Ｂを参照すれば，隔壁１２１は，下部１２１ａと上部１２１ｂとに分かれており，下部１２１ａは，リッジ１２５と一体に形成され，上部１２１ｂは，リッジ１２５上に第２放電電極１１４ａ，１１４ｂおよびその上の第２誘電体層１１５が形成された後に別途に形成される。このような構造によれば，リッジ１２５は，隔壁１２１の上部１２１ｂと共に格子状に形成される。
【００４８】
（第４の実施形態）
図１１Ａは，本実施形態にかかるＰＤＰの断面図である。また，図１１Ｂは，本実施形態にかかる第２基板の内面に形成される隔壁１２１の構造を示す抜粋斜視図である。
【００４９】
本実施形態は，第１の実施形態および第２の実施形態にかかるＰＤＰの変形例であって，隔壁１２１が単一体ではない，上下部分１２１ａ，１２１ｂが分離された構造を有する。
【００５０】
図１１Ａおよび図１１Ｂを参照すれば，隔壁１２１は，下部１２１ａと上部１２１ｂとに分かれており，下部１２１ａは，リッジ１２５ａ，１２５ｂと一体に形成されている。上部１２１ｂは，リッジ１２５ａ，１２５ｂ上に第２放電電極１１４ａ，１１４ｂおよびその上の第２誘電体層１１５が形成された後に別途に形成される。このような構造によれば，リッジ１２５ａ，１２５ｂは，隔壁１２１の上部１２１ｂと共に格子状に形成される。
【００５１】
（第５の実施形態）
図１２Ａおよび図１２Ｂは，第５の実施形態にかかるＰＤＰを示す。
【００５２】
本実施形態では，隔壁１２１が上下部１２１ｂ，１２１ｃに分かれており，下部１２１ｃは，上部１２１ｂに比べて幅が広くなっている。隔壁１２１の上部１２１ｂは，例えば下部１２１ｃの中央に位置し，隔壁１２１で上部１２１ｂと重なっていない下部１２１ｃの階段部分に第２放電維持電極１１４ａ，１１４ｂが形成される。隔壁１２１の下部１２１ｃに形成された第２放電維持電極１１４ａ，１１４ｂは，図１２Ａに示すように，例えば，隔壁１２１の上部１２１ｂにより隔離されている。
【００５３】
全体的に隔壁１２１は，格子状の下部１２１ｃと格子状の上部１２１ｂとにより独立した放電セルを設ける構造を有する。このように，本実施形態は，第２放電維持電極１１４ａ，１１４ｂができるだけ離隔されているため，十分な放電距離を確保することができる。
【００５４】
なお，本実施形態では，第１放電維持電極対１１３ａ，１１３ｂの間隔は，第２放電維持電極対１１４ａ，１１４ｂに比べて狭くなっている。
【００５５】
（第６の実施形態）
図１３Ａおよび図１３Ｂに基づいて，第１放電維持電極１１３ａ，１１３ｂのそれぞれが，二つの電極要素１１３’ａ，１１３”ａおよび１１３’ｂ，１１３”ｂに分離された形態である，第６の実施形態にかかるＰＤＰについて説明する。なお，図１３Ａと図１３Ｂにおいて，第１放電維持電極１１３ａ，１１３ｂ以外の基本的な構造は，図３および図４に示す第１の実施形態のＰＤＰと同じ構造を有する。
【００５６】
背面板に該当する第２基板１２０の内面には，所定高さの隔壁１２１が複数平行に形成されており，それらの間に位置する第２基板１２０の表面には，アドレス電極１２２が形成されている。このアドレス電極１２２上には，誘電体層１２３が形成されている。
【００５７】
隔壁１２１の側面と，それらの間の誘電体層１２３との上には，蛍光体層１２４が形成されている。第２放電維持電極対１１４ａ，１１４ｂは，第２基板１２０の内面から所定高さ離れて形成されており，その上に誘電体層１１５が形成されている。第２放電維持電極対１１４ａ，１１４ｂおよびこれを覆う第２誘電体層１１５は，第２基板１２０の底から所定高さだけ離れて第１基板１１０に近接して形成されている。すなわち，第２放電維持電極対１１４ａ，１１４ｂおよびこれを覆う第２誘電体層１１５は，第１基板１１０と第２基板１２０との間に位置して形成されている。このように，第２放電維持電極対１１４ａ，１１４ｂを第２基板１２０の底から所定高さだけ離して第１基板１１０に近接させるために，第２基板１２０の内面には，所定高さのリッジが，第１放電維持電極対１１３ａ，１１３ｂに対して平行に，隔壁１２１に対しては直交する方向に配置される。したがって，隔壁１２１とリッジ１２５とは，格子状に形成される。このとき，隔壁１２１は，リッジ１２５に比べて高く形成される。したがって，リッジ１２５は，隔壁１２１と交差する部分で隔壁１２１により埋め込まれる。
【００５８】
一方，第１基板１１０の内面には，本実施形態の特徴である二つの電極要素１１３’ａ，１１３”ａおよび１１３’ｂ，１１３”ｂに分離された形態の第１放電維持電極対１１３ａ，１１３ｂが複数組形成されている。そして，第１放電維持電極対１１３ａ，１１３ｂ上には，第１誘電体層１１１と第１保護層１１２とが順次積層されている。なお，たとえ，各放電維持電極の電極要素が分離されているとしても，電気的には等電位を維持するように駆動回路と連結されているものとする。
【００５９】
ここで，例えば，第２基板１２０側の第２放電維持電極も，第１放電維持電極対と同様に，それぞれ二つの電極要素を有するように形成することもできる。すなわち，第１放電維持電極と第２放電維持電極とを，対称的に二つの電極要素を有するように形成することができる。
【００６０】
なお，本実施形態では，蛍光体層の形成位置については具体的に言及していない。蛍光体層は，内部構造上，許容される範囲内で自由に形成されるものであり，このような蛍光体層の形成位置は，本発明の技術的範囲を制限しない。
【００６１】
以上のように，第１〜第６の多様な実施形態により説明された本発明のＰＤＰを検討するために，比較実験を行った。
【００６２】
（比較実験）
サンプルＡは，図１および図２に説明された従来３電極型のＰＤＰである。サンプルＢは，図３および図４とに基づいて説明された第１の実施形態にかかるＰＤＰである。サンプルＣは，図８および図９とに基づいて説明された第２の実施形態にかかるＰＤＰである。サンプルＤは，図１３Ａおよび図１３Ｂとに基づいて説明された第５の実施形態にかかるＰＤＰである。
【００６３】
下記表１に，上記サンプルについての，同じ特定条件下における放電特性を表す。なお，表１において，各サンプルＡ〜Ｄの輝度および効率の下段に括弧書きで記載された電圧値は，かかる輝度および効率を測定したときの電圧値である。
【００６４】
【表１】
2006066392.tif 000003
【００６５】
表１に示すように，サンプルＢは，放電開始電圧はやや高いが，放電維持電圧はやや低いということが分かり，特に，輝度および効率面で優れていることが分かる。一方，サンプルＣおよびサンプルＤは，放電開始電圧，放電維持電圧，輝度および効率などのあらゆる面で，サンプルＡに比べて優れている。
【００６６】
このように，本発明によれば，既存の放電構造，例えば，第１基板の第１放電維持電極に，第２基板側に第２放電維持電極を追加することにより，既存の放電構造に比べて非常に優れた特性を有するＰＤＰを得ることができる。
【００６７】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６８】
本発明は，消費電力の減少を必要とする大型画像表示装置に関連した技術分野に適用可能である。
【図面の簡単な説明】
【００６９】
【図１】従来の３電極型のＰＤＰの概略的な斜視図である。
【図２】図１に示す従来のＰＤＰの概略的な断面図である。
【図３】本発明の第１の実施形態にかかるＰＤＰの概略的な斜視図である。
【図４】図３に示すＰＤＰの概略的な断面図である。
【図５Ａ】図３および図４に示すＰＤＰのアドレス放電方式を示す図面である。
【図５Ｂ】図３および図４に示すＰＤＰの維持放電方式を示す図面である。
【図６】従来の３電極方式のＰＤＰと，図３〜図５Ｂに示すＰＤＰとの放電シミュレーション結果を示すシミュレーション図である。
【図７Ａ】本発明の第１の実施形態にかかるＰＤＰの時間別の放電進行構造を時間毎に示した写真である。
【図７Ｂ】本発明の第１の実施形態にかかるＰＤＰの時間別の放電進行構造を時間毎に示した写真である。
【図８】本発明の第２の実施形態にかかるＰＤＰの概略的な断面図である。
【図９】図８に示すＰＤＰの部分拡大断面図である。
【図１０Ａ】本発明の第３の実施形態にかかるＰＤＰの概略的な断面図である。
【図１０Ｂ】本発明の第３の実施形態にかかるＰＤＰの概略的な斜視図である。
【図１１Ａ】本発明の第４の実施形態にかかるＰＤＰの概略的な断面図である。
【図１１Ｂ】本発明の第４の実施形態にかかるＰＤＰの概略的な斜視図である。
【図１２Ａ】本発明の第５の実施形態にかかるＰＤＰの概略的な断面図である。
【図１２Ｂ】本発明の第５の実施形態にかかるＰＤＰの概略的な斜視図である。
【図１３Ａ】本発明の第６の実施形態にかかるＰＤＰの概略的な断面図である。
【図１３Ｂ】本発明の第６の実施形態にかかるＰＤＰの概略的な斜視図である。
【符号の説明】
【００７０】
１００    第１基板
１１１    第１誘電体層
１１２    第１保護層
１１３ａ，１１３ｂ    第１放電維持電極対
１１４ａ，１１４ｂ    第２放電維持電極対
１１５    第２誘電体層
１１８    第２保護層
１２０    第２基板
１２１    隔壁
１２２    アドレス電極
１２３    誘電物質層
１２４    蛍光体層
１２５    リッジ
【図１】
2006066392.tif 000004
【図２】
2006066392.tif 000005
【図３】
2006066392.tif 000006
【図４】
2006066392.tif 000007
【図５Ａ】
2006066392.tif 000008
【図５Ｂ】
2006066392.tif 000009
【図８】
2006066392.tif 000010
【図９】
2006066392.tif 000011
【図１０Ａ】
2006066392.tif 000012
【図１０Ｂ】
2006066392.tif 000013
【図１１Ａ】
2006066392.tif 000014
【図１１Ｂ】
2006066392.tif 000015
【図１２Ａ】
2006066392.tif 000016
【図１２Ｂ】
2006066392.tif 000017
【図１３Ａ】
2006066392.tif 000018
【図１３Ｂ】
2006066392.tif 000019
【図６】
2006066392.tif 000020
【図７Ａ】
2006066392.tif 000021
【図７Ｂ】
2006066392.tif 000022